(57)【要約】【課題】床下や天井裏など狭い場所でも容易に配線作業を行うことができるとともに、配線ミスをなくしたコネクタ配線システムを提供する。【解決手段】一端側２ａにコネクタ８を備え他端側２ｂに第１の接続口６を備えた電源コード２と、第２の接続口７および第１の接続口６を有する分岐コネクタ４と、一端側３ａに第２の接続口７を備え他端側３ｂに第１の接続口６を備えたコネクタコード３と、一端側５ａに第２の接続口７を備え他端側５ｂが電気機器１０に接続された入力コード５とを備え、分岐コネクタ４の第２の接続口７に、電源コード２の第１の接続口６または一端側３ａの第２の接続口７に電源コード２の第１の接続口６を接続したコネクタコード３の第１の接続口６を接続し、分岐コネクタ４の第１の接続口６に、入力コード５の第２の接続口７または他端側３ｂの第１の接続口６に入力コード５の第２の接続口７を接続したコネクタコード３の第２の接続口７を接続して配線する。【選択図】図１
0003162657.tif 000002
【実用新案登録請求の範囲】
【請求項１】
建造物に設置された複数の電気機器と配電盤との間の配線を行うコネクタ配線システムであって、
一端側に上記配電盤に接続されるコネクタを備えるとともに、他端側に第１の接続口を備えた電源コードと、上記第１の接続口に接続する第２の接続口および少なくとも二つ以上の上記第１の接続口を有する分岐コネクタと、一端側に上記第２の接続口を備えるとともに、他端側に上記第１の接続口を備えた定尺のコネクタコードと、一端側に上記第２の接続口を備えるとともに、他端側が上記電気機器に接続された入力コードとを備え、
上記分岐コネクタの上記第２の接続口に、上記電源コードの上記第１の接続口、または上記一端側の上記第２の接続口に上記電源コードの上記第１の接続口を接続した上記コネクタコードの上記第１の接続口を接続し、
上記分岐コネクタの上記第１の接続口に、上記入力コードの上記第２の接続口、または上記他端側の上記第１の接続口に上記入力コードの上記第２の接続口を接続した上記コネクタコードの上記第２の接続口を接続して配線することを特徴とするコネクタ配線システム。
【請求項２】
上記分岐コネクタは、少なくとも二つ以上の上記第１の接続口の何れかに、上記コネクタコードの一端側の上記第２の接続口を接続するとともに、当該コネクタコードの他端側の上記第１の接続口に、別の上記分岐コネクタの上記第２の接続口を接続し、かつ別の上記分岐コネクタの少なくとも二つ以上の上記第１の接続口の少なくとも一つ以上に、上記入力コードの第２の接続口を接続して配線することを特徴とする請求項１に記載のコネクタ配線システム。
【請求項３】
上記電源コードおよび入力コードまたは上記コネクタコードは、コードハンガにより揺動可能に吊り下げて配線されることを特徴とする請求項１また２に記載のコネクタ配線システム。
【考案の詳細な説明】
【技術分野】
【０００１】
本考案は、建造物に設置された各種電気機器と配電盤との間の配線に用いて好適なコネクタ配線システムに関するものである。
【背景技術】
【０００２】
従来、ビルや住居などの建造物においては、天井裏や床下などのボイドスペースに、蛍光灯や床下換気扇などの電気機器の配線ケーブルが張り巡らされている。これら配線ケーブルの配線は、一般的に建造物を施工するとき、またはリフォームするときに行われる。この配線作業としては、作業者が天井裏や床下において、配線コードを電気機器の設置場所に応じて引きまわし、適当な長さ寸法に切断した後に、コードの端の被覆材を手作業によって剥がし、当該被覆材の中の銅線を露出させて、コネクタを取り付け、電源コードまたは電気機器の入力コードに取り付けたコネクタに接続して行われる。
【０００３】
ところで、配線コードおよび電源コード、または電気機器の入力コードに取り付けるコネクタは、通常雄型と雌型とがある。この雄型および雌型のコネクタを接続することによって、配線コード同士を継ぎ足して適当な長さすることができるとともに、分岐コネクタを介装することにより、複数の電気機器を接続することができる。また、上記分岐コネクタに、雄型と雌型のコネクタを取り付けることにより、入力側と出力側とを区別することができる。
【０００４】
ところが、この雄型と雌型のコネクタを電機コードや配線コードなどに取り付ける作業は、天井裏や床下などの狭い場所において手作業で行わなければならず、手間を要するとともに、再度付け替えを行う場合にも多大な労力と時間を費やしてしまうという問題がある。また雄型と雌型とを間違って取り付けてしまった場合には、電気機器が正常に動作しなかったり、配電盤または電気機器の故障の原因になってしまうという問題もある。
【０００５】
また、上記従来の方法においては、何十メートルもの配線コードを事前に準備して、現場において、配線ケーブルを引きまわして適当な長さ寸法に切断するため、手間や時間を要して作業効率が悪いという問題もある。
【考案の概要】
【考案が解決しようとする課題】
【０００６】
本考案は、かかる事情に鑑みてなされたもので、床下や天井裏など狭い場所でも容易に配線作業を行うことができるとともに、配線ミスをなくしたコネクタ配線システムを提供することを課題とするものでる。
【課題を解決するための手段】
【０００７】
上記課題を解決するために、請求項１に記載の考案は、建造物に設置された複数の電気機器と配電盤との間の配線を行うコネクタ配線システムであって、一端側に上記配電盤に接続されるコネクタを備えるとともに、他端側に第１の接続口を備えた電源コードと、上記第１の接続口に接続する第２の接続口および少なくとも二つ以上の上記第１の接続口を有する分岐コネクタと、一端側に上記第２の接続口を備えるとともに、他端側に上記第１の接続口を備えた定尺のコネクタコードと、一端側に上記第２の接続口を備えるとともに、他端側が上記電気機器に接続された入力コードとを備え、上記分岐コネクタの上記第２の接続口に、上記電源コードの上記第１の接続口、または上記一端側の上記第２の接続口に上記電源コードの上記第１の接続口を接続した上記コネクタコードの上記第１の接続口を接続し、上記分岐コネクタの上記第１の接続口に、上記入力コードの上記第２の接続口、または上記他端側の上記第１の接続口に上記入力コードの上記第２の接続口を接続した上記コネクタコードの上記第２の接続口を接続して配線することを特徴とするものである。
【０００８】
また、請求項２に記載の考案は、請求項１に記載の考案において、上記分岐コネクタは、少なくとも二つ以上の上記第１の接続口の何れかに、上記コネクタコードの一端側の上記第２の接続口を接続するとともに、当該コネクタコードの他端側の上記第１の接続口に、別の上記分岐コネクタの上記第２の接続口を接続し、かつ別の上記分岐コネクタの少なくとも二つ以上の上記第１の接続口の少なくとも一つ以上に、上記入力コードの第２の接続口を接続して配線することを特徴とするものである。
【０００９】
そして、請求項３に記載の考案は、請求項１または２に記載の考案において、上記電源コードおよび入力コードまたは上記コネクタコードは、コードハンガにより揺動可能に吊り下げて配線されることを特徴とするものである。
【考案の効果】
【００１０】
請求項１〜３に記載の本考案によれば、定尺のコネクタコードが、一端側に第２の接続口を備えるとともに、他端側に第１の接続口を備えているため、建造物に設置された電気機器によって、分岐コネクタと電源コードとの間、または当該分岐コネクタと入力コードとの間の距離が離れていた場合でも、各々の間に定尺の当該コネクタコードを介在させることにより容易に対応することができる。また、定尺の上記コネクタコードを繋ぎ合わせることにより、上記各々の間の様々な距離に対応することができる。この結果、上記電気機器の個数や設置場所に応じて、予め上記分岐コネクタの個数および上記コネクタコードの本数を準備することができるとともに、上記コネクタコードを組み合わせることにより、適宜長さを調整することができる。
【００１１】
また、上記建造物に配置された電気機器と配電盤との間の配線を、互いに接続可能な第１の接続口または第２の接続口を備えた電源コードおよび入力コード、または互いに接続可能な第１の接続口、および第２の接続口を備えた定尺のコネクタコードと、当該第１の接続口および第２の接続口を有する分岐コネクタとを用いて行うため、上記建造物の床下や天井裏などの狭い場所でも、第１の接続口と第２の接続口とを接続することにより配線作業を簡便に行うことができる。この結果、現場での作業時間を短縮させて効率良く作業を行うことができる。
【００１２】
そして、上記分岐コネクタが、上記第２の接続口および少なくとも二つ以上の上記第１の接続口を有しているため、上記建造物に上記電気機器が複数配置されていても、容易に配線を行うことができる。これにより、上記電気機器が増えることによって、配線が複雑になった場合でも、接続ミスなく簡便に配線することができる。
【００１３】
請求項２に記載の考案によれば、一端側に上記第１の接続口を備えるとともに、他端側に上記第２の接続口を備えた定尺の上記コネクタコードを用いることにより、上記第２の接続口および少なくとも二つ以上の上記第１の接続口を有する上記分岐コネクタと別の上記分岐コネクタとを接続することができるため、上記電気機器を簡便に増設することができる。この結果、作業現場において、建造物に取り付ける上記電気機器が増えた場合でも、複数の上記分岐コネクタと上記コネクタコードとを組み合わせることにより、容易に対応することができる。
【００１４】
請求項３に記載の考案によれば、配線後の上記電源コードおよび入力コードまたは上記コネクタコードを、コードハンガにより柱や梁に揺動可能に吊り下げることができるため、狭い天井裏や床下に無数に張り巡らされているコード類を整理することができる。これにより、交換や補修が必要になった場合でも、作業を効率良く行うことができる。また、コード類が地面などに接触して起こる腐食を防止することができるため、長期に亘り張り巡らせておくことができ、コード類の交換や補修の頻度を低減することができる。
【図面の簡単な説明】
【００１５】
【図１】本考案のコネクタ配線システムの第１の実施形態を示す概略図である。
【図２】本考案のコネクタ配線システムの第１の実施形態の変形例を示す概略図である。
【図３】本考案のコネクタ配線システムの第２の実施形態を示す概略図である。
【図４】本考案のコネクタ配線システムの第２の実施形態の変形例を示す概略図である。
【図５】本考案のコードハンガの取り付け方法を示し、（ａ）は床下の梁に取り付ける状態、（ｂ）はコードを取り付けた状態を示す斜視図である。
【図６】本考案の電源コードの処理方法を示し、（ａ）は床に穴を明けて第１の接続口を備えた電源コードにコードブッシュを取り付けた状態、（ｂ）は第１の接続口を備えた電源コードを穴に挿入し、コードブッシュを穴に取り付けた状態を示す斜視図である。
【図７】本考案の第１の実施形態の変形例におけるコントローラを示し、（ａ）はカバーを開けた正面図、（ｂ）は右側面図、（ｃ）は底面巣、（ｄ）はコンセントに取り付けた状態を示す斜視図である。
【考案を実施するための形態】
【００１６】
（実施の形態１）
図１に示すように、本考案のコネクタ配線システム１は、配電盤１１と、この配電盤１１に接続する電源コード２と、雌型接続口（第１の接続口）６および雄型接続口（第２の接続口）７を備えた複数本（図では３本）のコネクタコード３と、雌型接続口６および雄型接続口７を有する分岐コネクタ４と、雄型接続口７を備えた入力コード５を有する３台の換気扇（電気機器）１０とを備えて概略構成されている。
【００１７】
ここで、電源コード２は、コントローラ１２が介装されてなり、その入力側となる一端側２ａに配電盤１１に接続されるコンセント用プラグ８を備えているとともに、出力側となる他端側２ｂに雌型接続口６を備えている。この雌型接続口６は、電源コード２の他端側２ｂに予め取り付けられている。また、コントローラ１２は、並列に接続された換気扇１０の運転と停止を、内蔵されたプログラムによって制御するものである。
【００１８】
また、コネクタコード３は、一端側３ａに雄型接続口７を備えているとともに、他端側３ｂに雌型接続口６を備えている。このコネクタコード３は、定尺（例えば、５ｍ）のコードの一端側３ａに、雄型接続口７が予め取り付けられていて、他端側３ｂに雌型接続口６が予め取り付けられている。
【００１９】
そして、分岐コネクタ４は、雄型接続口７を一つ有しているとともに、雌型接続口６を三つ有している。また分岐コネクタ４は、雄型接続口７が配電盤１１からの電力の入力側であり、雌型接続口６が換気扇１０に電力を供給する出力側となっている。
【００２０】
さらに、入力コード５は、一端側５ａに雄型接続口７を備えているとともに、他端側５ｂが換気扇１０に接続されている。この入力コード５は、一端側５ａに予め雄型接続口７が取り付けられている。また３台の換気扇１０には、各々同じ長さ寸法の入力コード５が接続されている。
【００２１】
また、図５に示すように、床下に配線したコード類を揺動自在に吊すコードハンガ９を備えている。このコードハンガ９は、床下の梁ｍなどに取り付ける取付部９ａと、この取付部９ａに穿設された貫通穴に挿通された紐材９ｂとを有している。さらに、図６に示すように、雌型接続口６を備えた電源コードを床ｔに穿設された穴ｋに挿通して、床下に配線されているコネクタコード３と接続した後に、穴ｋを塞ぐコードブッシュ１３を備えている。このコードブッシュ１３は、円板状に形成され、中心部に放射上に切り込まれた合成樹脂製のカバーが一体に形成されている。
【００２２】
上記構成のコネクタ配線システム１を用いて、床下に設置された３台の換気扇１０の配線を行うには、まず３台の換気扇１０を建造物の床下の適当な場所に各々配置する。次いで、３台の換気扇１０の中の１台と分岐コネクタ４とを接続する。このときに、分岐コネクタ４の出力側である第１の接続口の一つに、換気扇１０に接続された入力コード５の一端側５ａの第２の接続口を接続する。この接続により、分岐コネクタ４の配置が確定される。
【００２３】
次に、床下に配置された分岐コネクタ４に、他の２台の換気扇１０を接続する。このときに、分岐コネクタ４の出力側である雌型接続口６と、換気扇１０に接続された入力コード５の一端側５ａに備えられた雄型接続口７との間が離れていて、接続が不可能な場合には、コネクタコード３の一端側３ａの雄型接続口７を分岐コネクタ４の雌型接続口６を接続するとともに、他端側３ｂの雌型接続口６に入力コード５の一端側５ａの雄型接続口７を接続する。このコネクタコードは、一端側３ａに雄型接続口７を備え、他端側３ｂに雌型接続口６を備えているため、万一５ｍの定尺のコネクタコード３が１本で足らない場合には、２本接続することにより１０ｍの距離でも接続することができる。
【００２４】
そして、分岐コネクタ４の出力側である第１の接続口に、３台の換気扇１０の入力コード５を接続した後に、分岐コネクタ４の入力側の雄型接続口７に、電源コード２の他端側２ｂの雌型接続口６を接続する。このときも、分岐コネクタ４が配置されている位置から、電源コード２の雌型接続口６が離れている場合には、コネクタコード３の一端側３ａの雄型接続口７に、電源コード２の他端側２ｂの雌型接続口６を接続するとともに、他端側３ｂの雌型接続口６を分岐コネクタ４の入力側である雄型接続口７に接続する。
【００２５】
さらに、配電盤１１と換気扇１０との間の配線作業が終了した後に、コードハンガ９によって、床下に配線されたコネクタコード３などを揺動自在に吊り下げる。このコードハンガ９を床下の梁ｍに取り付けるには、図５（ａ）に示すように、コードハンガ９の取付部９ａを木ねじによって、床下の梁ｍに固定する。次いで、図５（ｂ）に示すように、コネクタコード３をコードハンガ９の紐材９ｂによって縛り、コネクタコード３を地面より離して揺動可能に吊り下げる。また、コードハンガ９を取り付ける位置は、コネクタコード３を吊した際に、コードが弛んで地面に接地しないように間隔を調整し、複数箇所に亘って取り付ける。
【００２６】
また、並列に配線された換気扇１０に電力を供給する配電盤１１は、室内側に設置されているため、コントローラ１２に接続された電源コード２の他端側２ｂを、床ｔに穿設した穴ｋより床下に落とし込む必要がある。この場合に、床ｔに穿設する穴ｋは、電源コード２の他端側２ｂに備えた雌型接続口６も挿通するように、電源コード２の直径よりも大きく穿設する必要がある。そのため、電源コード２を床下に落とし込んだ後に、床ｔに穿設された穴ｋをコードブッシュ１３により塞ぐ必要がある。このコードブッシュ１３を用いて穴ｋを塞ぐには、図６（ａ）に示すように、まず放射状に切り込まれた中心部部分に、電源コード２の他端側２ｂの雌型接続口６を挿通させる。
【００２７】
次に、電源コード２の他端側２ｂの雌型接続口６を床ｔの穴ｋに落とし込み、電源コード２の他端側２ｂを床下に這わす。そして、図６（ｂ）に示すように、コードブッシュ１３を床ｔの穴ｋに押し込んで固定する。この際に、コードブッシュ１３の下側に形成された複数個の爪の弾性によって、穴ｋの内周面に固定される。
【００２８】
そして、コントローラ１２を設定しておくことにより、並列に接続された換気扇１０が作動して、床下の換気を自動的に行うことができる。また、コントローラ１２の設定により、運転および停止の時間をタイマによって行うこともできる。
【００２９】
さらに、上記第１の実施形態２の変形例においては、図２に示すように、図１の構成のコントローラ１２と、電源コード２とが着脱可能に構成されている。この電源コード２は、入力側となる一端側２ａに、コンセント用プラグ８が予め取り付けられているとともに、出力側となる他端側２ｂに、雌型接続口６が予め取り付けられている。
【００３０】
また、コントローラ１２は、コンセント１４（配電盤１１）に直接取り付けるタイプであり、図７（ｂ）に示すように、コンセント用プラグ１２ｂが背面側に一体的に設けられている。そして、図７（ａ）に示すように、カバー１２ａが表面側に開閉自在に設けられているとともに、カバー１２ａの内方にコントロール部１２ｃが内設されている。また、図７（ｃ）に示すように、底面側に電源コード２のコンセント用プラグ８が接続する接続口１２ｄが設けられている。そして、コントローラ１２は、並列に接続された換気扇１０の運転と停止を、内蔵されたプログラムによって制御するものである。
【００３１】
上記構成のコネクタ配線システム１の第１の実施形態の変形例においては、上記第１の実施形態と同様に、床下に設置された３台の換気扇１０の配線を行った後、図７（ｄ）に示すように、コントローラ１２のコンセント用プラグ１２ｂを壁面などに設けられたコンセント１４に接続する。そして、電源コード２の一端側２ａのコンセント用プラグ８を、コントローラ１２の底面側に設けられた接続口１２ｄに接続する。
【００３２】
また、コントローラ１２を操作して、３台の換気扇１０の運転と停止を設定するには、表面側のカバー１２ａを開いて、内設されているコントロール部１２ｃのダイヤルを回転して行う。設定後は、カバー１２ａを閉じることにより、コントローラ１２に手や腕が接触したとしても、設定がズレたり、変更されたりすることがない。
【００３３】
そして、上記第１の実施形態と同様に、電源コード２の他端側２ｂを床ｔに穿設された穴ｋから床下に落とし込み、分岐コネクタ４の入力側の雄型接続口７に直接、またはコネクタコード３を介して接続する。
【００３４】
（実施の形態２）
図３は、本考案のコネクタ配線システム１の第２の実施形態を示すものであり、図１に示したものと同一構成部分については、同様に同一記号を付して、その説明を簡略化する。
図３に示すように、第２の実施形態では、図１の構成に加えて、上記建造物に配置された換気扇１０が１台と、第２の分岐コネクタ４ｂ（４）が１個と、コネクタコード３が１本追加されて概略構成されている。
【００３５】
ここで、１本追加されたコネクタコード３は、第１の実施形態と同様に、一端側３ａに雄型接続口７を備えているとともに、他端側３ｂに雌型接続口６を備えている。このコネクタコード３は、定尺（例えば、５ｍ）のコードの一端側３ａに、雄型接続口７が予め取り付けられていて、他端側３ｂに雌型接続口６が予め取り付けられている。
【００３６】
また、１個追加された第２の分岐コネクタ４ｂは、第１の実施形態の分岐コネクタ（第１の分岐コネクタ４ａ）４と同様に、雄型接続口７を一つ有しているとともに、雌型接続口６を三つ有している。また第２の分岐コネクタ４ｂは、雄型接続口７が配電盤１１からの電力の入力側であり、雌型接続口６が換気扇１０に電力を供給する出力側となっている。
【００３７】
そして、１台追加された換気扇１０は、第１の実施形態の換気扇１０と同様に、一端側５ａに雄型接続口７を備えた入力コード５の他端側５ｂが接続されている。この入力コード５は、一端側５ａに予め雄型接続口７が取り付けられているとともに、他の３台の換気扇１０と同じ長さ寸法に形成されている。
【００３８】
さらに、図５に示すように、床下に配線したコード類を揺動自在に吊すコードハンガ９を、第１の実施形態と同様に備えている。また、図６に示すように、雌型接続口６を備えた電源コードを床ｔに穿設された穴ｋに挿通して、床下に配線されているコネクタコード３と接続した後に、穴ｋを塞ぐコードブッシュ１３を、第１の実施形態と同様に備えている。
【００３９】
上記構成のコネクタ配線システム１の第２の実施形態を用いて、床下に設置された４台の換気扇１０の配線を行うには、まず４台の換気扇１０を建造物の床下の適当な場所に各々配置する。次いで、４台の換気扇１０の中の１台と第１の分岐コネクタ４ａとを接続する。そして、別の１台の換気扇１０と、追加した第２の分岐コネクタ４ｂとを接続する。このときに、各々の分岐コネクタ４の出力側である第１の接続口の一つに、換気扇１０に接続された入力コード５の一端側５ａの第２の接続口を各々接続する。この接続により、２個の分岐コネクタ４の配置が確定される。
【００４０】
次に、床下に配置された２個の分岐コネクタ４の各々に、他の換気扇１０を１台ずつ接続する。このときに、分岐コネクタ４の出力側である雌型接続口６と、換気扇１０に接続された入力コード５の一端側５ａに備えられた雄型接続口７との間が離れていた場合には、第１の実施形態と同様に、コネクタコード３の一端側３ａの雄型接続口７を分岐コネクタ４の雌型接続口６を接続するとともに、他端側３ｂの雌型接続口６に入力コード５の一端側５ａの雄型接続口７を接続する。
【００４１】
そして、第１の分岐コネクタ４ａの出力側である雌型接続口６に、コネクタコード３の一端側３ａの雄型接続口７を接続するとともに、他端側３ｂの雌型接続口６を第２の分岐コネクタ４ｂの入力側である第２の接続口に接続する。これにより、２個の分岐コネクタ４を介して、４台の換気扇１０を並列に接続することができる。
【００４２】
さらに、第１の分岐コネクタ４ａの入力側の雄型接続口７に、電源コード２の他端側２ｂの雌型接続口６を接続する。このときも、第１の分岐コネクタ４ａが配置されている位置から、電源コード２の雌型接続口６が離れている場合には、コネクタコード３の一端側３ａの雄型接続口７に、電源コード２の他端側２ｂの雌型接続口６を接続するとともに、他端側３ｂの雌型接続口６を分岐コネクタ４の入力側である雄型接続口７に接続する。
【００４３】
また、第１の実施形態と同様に、配電盤１１と換気扇１０との間の配線作業が終了した後に、図５（ａ）および（ｂ）に示すように、コードハンガ９によって、床下に配線されたコネクタコード３などを揺動自在に吊り下げる。そして、配電盤１１に接続される電源コード２の他端側２ｂを、床ｔに穿設した穴ｋより床下に落とし込む必要があるため、図６（ａ）に示すように、床ｔに穴ｋを穿設した後に、電源コード２の他端側２ｂに備えられた雌型接続口６を挿通させる。そして、図６（ｂ）に示すように、電源コード２を床下に落とし込んだ後に、床ｔに穿設された穴ｋをコードブッシュ１３により塞ぐ。
【００４４】
さらに、上記第２の実施形態２の変形例においては、図４に示すように、図１の構成に加えて、上記建造物に配置された攪拌型送風機１０ａが１台と、第２の分岐コネクタ４ｂが１個と、コネクタコード３が１本追加されて概略構成されている。
【００４５】
上記構成のコネクタ配線システム１の第２の実施形態の変形例を用いて、床下に設置された３台の換気扇１０と１台の攪拌型送風機（電気機器）１０ａの配線を行うには、まず３台の換気扇１０を建造物に合わせて配置するとともに、１台の攪拌型送風機１０ａを建造物の略中央付近に配置する。次いで、３台の換気扇１０の中の１台と第１の分岐コネクタ４ａとを接続する。そして、別の１台の換気扇１０と、追加した第２の分岐コネクタ４ｂとを接続する。このときに、各々の分岐コネクタ４の出力側である第１の接続口の一つに、換気扇１０に接続された入力コード５の一端側５ａの第２の接続口を各々接続する。
【００４６】
次に、床下に配置された第１の分岐コネクタ４ａに、更に別の換気扇１０を１台接続するとともに、第２の分岐コネクタ４ｂに、攪拌型送風機１０ａを接続する。このときに、第１の分岐コネクタ４ａの出力側である雌型接続口６と、換気扇１０に接続された入力コード５の一端側５ａに備えられた雄型接続口７、または第２の分岐コネクタ４ｂの出力側である雌型接続口６と、攪拌型送風機１０ａに接続された入力コード５の一端側５ａに備えられた雄型接続口７との間が離れていた場合には、第１の実施形態と同様に、コネクタコード３の一端側３ａの雄型接続口７を分岐コネクタ４の雌型接続口６を接続するとともに、他端側３ｂの雌型接続口６に入力コード５の一端側５ａの雄型接続口７を接続する。
【００４７】
そして、第１の分岐コネクタ４ａの出力側である雌型接続口６に、コネクタコード３の一端側３ａの雄型接続口７を接続するとともに、他端側３ｂの雌型接続口６を第２の分岐コネクタ４ｂの入力側である第２の接続口に接続する。これにより、２個の分岐コネクタ４を介して、３台の換気扇１０と１台の攪拌型送風機１０ａとを並列に接続することができる。
【００４８】
上述の第１の実施形態および第１の実施形態の変形例、または第２お実施形態および第２の実施形態の変形例によるコネクタ配線システム１によれば、定尺のコネクタコード３が、一端側３ａに雄型接続口７を備えるとともに、他端側３ｂに雌型接続口６を備えているため、建造物に設置された換気扇１０または／および攪拌型送風機１０ａによって、分岐コネクタ４と電源コード２との間、または分岐コネクタ４と入力コード５との間の距離が離れていた場合でも、各々の間に定尺のコネクタコード３を介在させることにより容易に対応することができる。また、定尺のコネクタコード３を繋ぎ合わせることにより、上記各々の間の様々な距離に対応することができる。この結果、換気扇１０または／および攪拌型送風機１０ａの個数や設置場所に応じて、予め分岐コネクタ４の個数およびコネクタコード３の本数を準備することができるとともに、コネクタコード３を組み合わせることにより、適宜長さを調整することができる。
【００４９】
また、建造物に配置された換気扇１０または／および攪拌型送風機１０ａと配電盤１１との間の配線を、互いに接続可能な雌型接続口６または雄型接続口７を備えた電源コード２および入力コード５、または互いに接続可能な雌型接続口６および雄型接続口７を備えた定尺のコネクタコード３と、雌型接続口６および雄型接続口７を有する分岐コネクタ４とを用いて行うため、当該建造物の床下や天井裏などの狭い場所でも、雌型接続口６と雄型接続口７とを接続することにより配線作業を行うことができる。この結果、現場での作業時間を短縮させて効率良く作業を行うことができる。
【００５０】
そして、一端側３ａに雌型接続口６を備えるとともに、他端側３ｂに雄型接続口７を備えた定尺のコネクタコード３を用いることにより、雄型接続口７および少なくとも二つ以上の雌型接続口６を有する第１の分岐コネクタ４ａと第２の分岐コネクタ４ｂとを接続することができるため、換気扇１０および攪拌型送風機１０ａを簡便に増設することができる。この結果、作業現場において、建造物に取り付ける換気扇１０または攪拌型送風機１０ａが増えた場合でも、複数の分岐コネクタ４とコネクタコード３とを組み合わせることにより、容易に対応することができるとともに、換気扇１０および攪拌型送風機１０ａが増え、配線が複雑になった場合に起こりうる配線ミスを減らすことができる。
【００５１】
さらに、配線後の電源コード２および入力コード５またはコネクタコード３を、コードハンガ９によって、柱や梁に揺動可能に吊り下げることができるため、狭い天井裏や床下に無数に張り巡らされているコード類を整理することができ、狭い床下などにおいて、コード類の交換や補修をスムーズに行うことができる。また、コード類が地面などに接触して起こる腐食を防止することができ、補修や修理の頻度を低減させることができる。
【００５２】
なお、上記実施の形態において、第１の接続口６を凹型接続口、第２の接続口７を凸型接続口とした場合のみ説明したが、これに限定されるものでなく、例えば、第１の接続口６を凸型接続口、第２の接続口７を凹型接続口としても対応可能である。また、電源コード２にコントローラ１２を介在させた場合のみ説明したが、これに限定されるものでなく、例えば、換気扇１０または攪拌型送風機１０ａに制御装置を組み込んで、電源コード２を１本のものを用いても対応可能である。
【産業上の利用可能性】
【００５３】
床下や天井裏の配線に利用することができる。
【符号の説明】
【００５４】
１  コネクタ配線システム
２  電源コード
２ａ  一端側
２ｂ  他端側
３  コネクタコード
３ａ  一端側
３ｂ  他端側
４  分岐コネクタ
５  入力コード
５ａ  一端側
５ｂ  他端側
６  雌型接続口（第１の接続口）
７  雄型接続口（第２の接続口）
８  コンセント用プラグ（コネクタ）
９  コードハンガ
１０  換気扇（電気機器）
１１  配電盤
ｔ  床
ｍ  梁
【図１】
0003162657.tif 000003
【図２】
0003162657.tif 000004
【図３】
0003162657.tif 000005
【図４】
0003162657.tif 000006
【図５】
0003162657.tif 000007
【図６】
0003162657.tif 000008
【図７】
0003162657.tif 000009